(57)【特許請求の範囲】
【請求項１】
機器筐体内に配設される電源装置において、電源回路要素を組付けた回路基板に装備した、該回路基板上の電路を開閉する電気スイッチ；該電気スイッチの開閉切換え操作子を駆動する一端部を有し、前記回路基板の外に延びる連携部材；および、該連携部材の他端部に組付けられ前記機器筐体の複数のカバーの閉移動によって駆動される複数の受け部材、および、該複数の受け部材が同時に押されているとき前記電気スイッチを閉駆動する力を、前記受け部材に加え、少なくとも１つの受け部材への押しが消えると、前記受け部材ヘの力を下げて前記電気スイッチが開にもどる位置への前記連携部材の移動を許す、論理積機構；を備える、電源装置。
【請求項２】
前記回路基板を支持する金属製のブラケット；を更に備え、該ブラケットが、前記連携部材を、前記機器筐体のカバー面に向かう移動を可にして支持する、請求項１に記載の電源装置。
【請求項３】
前記連携部材は、前記ブラケットの一辺縁でそれに沿って往復動可に支持された主幹と、それから折曲がって電気スイッチの開閉切換え操作子に当接する位置に突出する部分と、を有する合成樹脂棒である、請求項２に記載の電源装置。
【請求項４】
前記連携部材の、回路基板の外の端部と、前記論理積機構との間に、緩衝ばねを介挿した、請求項３に記載の電源装置。
【請求項５】
前記連携部材は、前記電気スイッチの開閉切換え操作子を駆動する基枠およびそれに連結した可撓性の鞘付きワイヤを有し、前記受け部材は、前記機器筐体の複数のカバーの閉移動によって駆動されて前記ワイヤを駆動する、請求項１に記載の電源装置。
【請求項６】
前記電気スイッチは、インターロックスイッチである、請求項１乃至５のいずれか１つに記載の電源装置。
【請求項７】
前記回路基板に装備した、該回路基板上の電路を開閉する主電源スイッチ，該スイッチの開閉切換え操作子を駆動する端部を有し、前記回路基板の外に前記機器筐体の前面に向けて延びる連結部材、および、２位置に移動可であって一方の位置に駆動されるとそこに留まり、他方の位置に駆動されるとそこに留まる、前記機器筐体の前面に装備され前記連結部材に結合した操作ボタンを有する、請求項６に記載の電源装置。
【請求項８】
前記連結部材は、該操作ボタンに一端が係合した細径棒である、請求項７に記載の電源装置。
【請求項９】
請求項１乃至８のいずれか１つに記載の電源装置を備える画像形成装置。
【請求項１０】
前記機器筐体の複数のカバーは、前面カバーおよび側面カバーを含む、請求項９に記載の画像形成装置。
【請求項１１】
前記論理積機構は、連携部材を駆動する部材，該部材を駆動するための端部と一つのカバーの閉により押される端部を有しそれらの端部間にあるピンを中心に回動しうる回動羽根、および、該ピンを支持し、もう一つのカバーの閉により押されて固定軸を中心に、回動羽根を前記駆動する部材に近づける方向に回動するブラケットを含む、請求項９又は１０に記載の画像形成装置。
【発明の詳細な説明】
【０００１】
【発明の属する技術分野】
本発明は、電路開閉方法，これを実施する電源装置およびこれを内蔵する画像形成装置に関する。
【０００２】
【従来技術】
特開平５−２１６３０５号公報には、電送部の信頼性を高めるために電装ユニットと画像形成関連の機能ユニットとの間の電気的接続のためのハーネス類を省略し、各ユニットの電気回路基板に装備したコネクタで直接に、回路基板間を電気接続した、画像形成装置が開示されている。
【０００３】
比較的に高いパワーの給電路をオン，オフすると、高レベルのスイッチングノイズが放射されやすい。したがって電源装置は、スイッチングノイズの放射や電路を通しての流出を抑制する電気回路や、遮板を備えて、電源装置がノイズ源とならないように対策が施されている。
【０００４】
ところが比較的に嵩張る電気機器では、電源装置から離れた場所に、電源スイッチやインターロックスイッチを配置し、これらのスイッチと電源装置との間を電気リードいわゆるハーネスで接続しなければならない場合が多い。たとえばプリンタや複写機では、オペレータが操作しやすい比較的に高い位置に電源スイッチを配置し、電源装置は下部に収納する。また、消耗品交換、点検、クリーニングあるいは紙詰り除去のために、複数の開閉カバーを機器の前面や側面に配置しており、カバーを開くと、例えば画像露光用レーザの駆動回路へ給電する電路に介挿したインターロックスイッチを開放（電路遮断）して、ユーザの安全を期すことが行われている。この場合、インターロックスイッチを開閉カバーの近くに配置すると、スイッチ操作機構の設計が容易である。
【０００５】
【発明が解決しようとする課題】
しかし、電源スイッチやインターロックスイッチなどの電気スイッチと電源装置との間のハーネス配線が長くなると、スイッチングノイズをハーネスが放射し、これを遮断する対策が大変になると考えられる。
【０００６】
本発明は、スイッチングノイズの放射を回避することを第１の目的とする。電気スイッチの遠隔配置を不要にすることを第２の目的とする。電気スイッチを接続するハーネスをなくすことを第３の目的とする。
【０００７】
【課題を解決するための手段】
（１）機器筐体内に配設される電源装置において、電源回路要素(PSC)を組付けた回路基板(10)に装備した、該回路基板上の電路を開閉する電気スイッチ(25)；該電気スイッチの開閉切換え操作子(25a)を駆動する一端部(26c/43)を有し、前記回路基板の外に前記機器筐体の前面に向けて延びる連携部材(26/40,49,51)；および、該連携部材の他端部に組付けられ、前記機器筐体の複数のカバー(7,9)の閉移動によって駆動される複数の受け部材(34a,36a/52,53)、および、該複数の受け部材が同時に押されているとき前記電気スイッチ(25)を閉駆動する力を、前記受け部材に加え、少なくとも１つの受け部材への押しが消えると、前記受け部材ヘの力を下げて前記電気スイッチ(25)が開にもどる位置への前記連携部材の移動を許す、論理積機構(30〜38/40〜45)；を備える、電源装置。
【０００８】
なお、理解を容易にするためにカッコ内には、図面に示し後述する実施例の対応要素の符号を、参考までに付記した。以下も同様である。
【０００９】
これによれば、機器筐体の複数のカバー(7,9)を閉じることによって、連携部材を介して電気スイッチ(25)を閉駆動する。電気スイッチ(25)は、電源回路要素を組付けた回路基板(10)すなわち電源装置の回路板に装備するので、電源装置のノイズ対策回路あるいは遮板により、オン，オフノイズの、外部への漏出を十分に抑制できる。ハーネスを用いないので、ハーネスによるノイズ放射は無い。ハーネスに代えて連携部材を機器筐体の前面近くまで配架すればよく、スイッチ切換えのために操作される受け部材は、複数のカバー（７,9）の閉じ位置に設置できる。
【００１０】
例えば複数の開閉カバーのそれぞれの開により電源回路のインターロックスイッチを開放する態様では、１つの開閉カバーが開くとそれによる論理積機構への押し力が消えて、論理積機構の電気スイッチ閉操作力が無くなり、電気スイッチが開く。すなわちＯＦＦ（オフ）になる。すべての開閉カバーが閉になると論理積機構が閉駆動力を電気スイッチに加え、電気スイッチが閉じる。すなわちＯＮ（オン）になる。開閉カバーの１つづつに一組の電気スイッチを備える必要が無い。
【００１１】
【発明の実施の形態】
（２）前記回路基板(10)を支持する金属製のブラケット(17)；を更に備え、該ブラケット(17)が、前記連携部材(26)を、前記機器筐体のカバー面に向かう移動を可にして支持する、上記（１）の電源装置。
【００１２】
これによれば、回路基板(10)が放射するノイズをブラケット(17)が遮蔽する。このブラケット(17)を連携部材(26)の支持に共用したので、連携部材支持具の別途付加を要しない。
【００１３】
（３）前記連携部材(26)は、前記ブラケット(17)の一辺縁でそれに沿って往復動可に支持された主幹と、それから折曲がって電気スイッチ(25)の開閉切換え操作子(25a)に当接する位置に突出する部分(26c)と、を有する合成樹脂棒である、上記（２）記載の電源装置。
【００１４】
これによれば、連携部材(26)の設置空間を格別に広く設定する必要が無く、しかも連携部材(26)の往復動の障害が少なく、連携部材(26)の設置が容易である。合成樹脂棒とすることにより、電源回路要素に対するリークあるいは誘導結合を生ずることが無く、連携部材(26)の組込みが容易である。
【００１５】
（４）前記連携部材(26)の、回路基板(10)の外の端部と、前記論理積機構(30〜38)との間に、緩衝ばね(27)を介挿した、上記（３）記載の電源装置。連携部材(26)と論理積機構(30〜38)の移動範囲は同一にはならず、連携部材(26)が論理積機構(30〜38)で押されるとき、例えば連携部材(26)が移動限界位置に達し、論理積機構(30〜38)が更に押しを続けると、連携部材(26)および又は論理積機構(30〜38)に無理な力が加わり、変形やがたつきを生じやすくなるが、緩衝ばね(27)がそのような力を吸収するので、連携部材(26)および論理積機構(30〜38)に変形などを生じない。
【００１６】
（５）前記連携部材(40,49,51)は前記電気スイッチ(25)の開閉切換え操作子(25a)を駆動する基枠(40)およびそれに連結した可撓性の鞘付きワイヤ(49,51)を有し、前記受け部材(52,53)は、前記機器筐体の複数のカバーの閉移動によって駆動されて前記ワイヤを駆動する、上記（１）に記載の電源装置。鞘付きワイヤ(49,51)は、たとえば９０度向きを変えたりできるので、機器内の這いまわしが容易であり、配架自由度が高い。
【００１７】
（６）前記電気スイッチは、インターロックスイッチ(25)である。これによれば、電源装置内で、例えば機器筐体の前面カバーの開のときに保安上遮断すべき電路にインターロックスイッチ(25)を介挿し、これを連携部材を介して機器筐体の複数のカバーによって操作し、一つのカバーが開くときには電源装置内のインターロックスイッチ(25)をオフにできる。
【００１８】
（７）前記回路基板(10)に装備した、該回路基板上の電路を開閉する主電源スイッチ(11)，該スイッチの開閉切換え操作子(11a)を駆動する端部を有し、前記回路基板の外に前記機器筐体の前面に向けて延びる連結部材(13)、および、２位置に移動可であって一方の位置に駆動されるとそこに留まり、他方の位置に駆動されるとそこに留まる、前記機器筐体の前面に装備され前記連結部材(13)に結合した操作ボタン(12a)を有する、上記（６）に記載の電源装置。
【００１９】
これによれば、通常の電源スイッチをオン，オフする操作と同様にユーザが操作ボタン(12a)を操作することにより、電源装置内の主電源スイッチ(11)をオン，オフできる。主電源電気スイッチ(11)は、電源回路要素を組付けた回路基板(10)すなわち電源装置の回路板に装備するので、電源装置のノイズ対策回路あるいは遮板により、オン，オフノイズの、外部への漏出を十分に抑制できる。ハーネスを用いないので、ハーネスによるノイズ放射は無い。ハーネスに代えて連携部材(13)を機器筐体の前面近くまで配架すればよく、スイッチ切換えのために操作される操作ボタン(12a)を機器筐体の前面に容易に設置できる。
【００２０】
（８）前記連結部材(13)は、該操作ボタンに一端が係合した細径棒(13)である、上記（７）の電源装置。
【００２１】
これによれば、電源装置内の主電源スイッチ(11)を、機器筐体の前面の操作ボタン(12a)を介して細径棒(13)を操作することにより、オン，オフできる。
【００２２】
（９）上記（１）乃至（８）のいずれか１つに記載の電源装置を備える画像形成装置。
【００２３】
（１０）前記機器筐体の複数のカバーは、前面カバー(7)および側面カバー(9)を含む、上記（９）の画像形成装置。
【００２４】
これによれば、前面カバー(7)および側面カバー(9)のそれぞれの開により電源回路のインターロックスイッチ(25)を開放する態様では、１つの開閉カバーが開くとそれによる論理積機構への押し力が消えて、論理積機構の電気スイッチ閉操作力が無くなり、インターロックスイッチ(25)がオフになる。すべての開閉カバーが閉になると論理積機構が閉駆動力をインターロックスイッチ(25)に加え、インターロックスイッチ(25)がオンになる。開閉カバーの１つづつに一組のインターロックスイッチを備える必要が無い。
【００２５】
（１１）前記論理積機構(30〜38)は、連携部材(26)を駆動する部材(30)，該部材を駆動するための端部(36b)と一つのカバー(7)の閉により押される端部(36a)を有しそれらの端部間にあるピン(35)を中心に回動しうる回動羽根(36)、および、該ピンを支持し、もう一つのカバー（９）の閉により押されて固定軸(33)を中心に、回動羽根(36)を前記駆動する部材(30)に近づける方向に回動するブラケット(34)を含む、上記（９）又は（１０）の画像形成装置。
【００２６】
一つのカバー(7)の閉によって回動羽根(36)が回動し、しかも、もう一つのカバー(9)の閉によりブラケット(34)が回動したときの、回動羽根(36)の端部(36b)の位置が、部材(30)を駆動した駆動済位置であり、２つのカバー(7,9)の一方が開、他方が閉で、回動羽根(36)とブラケット(34)の一方だけが回動したときの、回動羽根(36)の端部(36b)の位置が、部材(30)を駆動する直前の位置であり、２つのカバー(7,9)の両方が開で、回動羽根(36)とブラケット(34)の両者が退避位置にある時の、回動羽根(36)の端部(36b)の位置が退避位置である。すなわち回動羽根(36)の端部(36b)は、２つのカバー(7,9)の開閉の組合せに応じて、
両カバー共に開：退避位置，
一方のみが閉：駆動直前位置、および、
両カバー共に閉：駆動済位置、
の３位置のいずれかの位置となり、回動羽根(36)の端部(36b)が、駆動直前位置から駆動済位置に移動するときに、すなわち２つのカバー(7,9)がともに閉となるときに、該端部(36b)が部材(30)を押し駆動し、電気スイッチ(25)がオフからオンに切換る。少なくとも１つのカバーが開かれると、該端部(36b)が駆動済位置から駆動直前位置に戻り、これによって部材(30)への押し力が無くなって、電気スイッチ(25)がオンからオフに切換る。
【００２７】
この論理積機構(30〜38)によれば、ピンを支点とするてこの原理により、駆動部材(30)を、比較的に大きいストロークで強く駆動することができる。電気スイッチ(25)のインターロック操作の信頼性が高い。
【００２８】
本発明の他の目的および特徴は、図面を参照した以下の実施例の説明により明らかになろう。
【００２９】
【実施例】
−第１実施例−
図１の（ａ）に、本発明の一実施例を装備した電子写真方式のフルカラープリンタＰＴＲの外観を示し、図１の（ｂ）に、正面を示す。このカラープリンタＰＴＲは、パ−ソナルコンピュータ（ＰＣ）等のホストから、画像情報である印刷データが与えられるとそれをプリントアウトする、電子写真方式のレーザ走査型のカラ−プリンタであり、プリンタ機構，給紙装置，両面給紙装置およびプリンタコントローラを備える。
【００３０】
プリンタＰＴＲの上面の閉じ蓋１，２は、スキャナの下脚を受け入れる受け穴を閉じている。このプリンタＰＴＲを、複合機能のデジタルカラー複写機に機能アップするときには、複写機操作ボードを装備し、ＡＤＦ（自動原稿供給装置）をオプションとして装備できる原稿スキャナの下脚が、図１の（ａ）では閉じ蓋１，２で覆われた受け穴に挿入され、プリンタの機枠とボルトで固着される。
【００３１】
プリンタＰＴＲの内部のレーザ走査器には、Ｂｋ（黒），Ｙ（イエロ−），Ｍ（マゼンタ），Ｃ（シア）の各色の成分に分解された画像データが、各色単位で与えられる。各色単位が１画像形成単位である。単色記録のときには、上記４色の内の一色の画像データがレーザ走査器に与えられる。感光体は定速度で回転駆動され、メインチャ−ジャにて荷電され、帯電位はクエンチングランプで適正電位に調整される。そして帯電面に、レーザ走査器が画像データで変調したレーザを走査投射する。これにより、画像データに対応する静電潜像が感光体に形成される。この静電潜像が、回転位置決め方式の現像装置の、画像形成指定色（例えばＢｋ）に対応する色の現像トナ−を有する現像器（Ｂｋ）にて現像されて顕像すなわちトナ−像となる。トナ−像は、転写チャ−ジャにて転写ベルトに転写され、そして、転写分離チャ−ジャにて、レジストロ−ラで送り込まれる転写紙に転写され、トナ−像を担持する転写紙は、搬送ベルトで定着器に送り込まれる。転写紙はＡ４以下のサイズの紙を収納できる第１トレイ３又はＡ３以下のサイズの紙を収納できる第２トレイ４から給紙装置に繰り出される。
【００３２】
定着器は、加熱，加圧により転写紙上のトナ−像を転写紙に固定する。定着を終えた転写紙は、プリンタＰＴＲの上面である排紙受け面５上に排出される。トナ−像の転写を終えた感光体面はクリ−ニング装置でクリ−ニングされる。転写ベルトの転写を終えた面はクリーニングブレードで拭われる。２色以上のカラ−重ね記録（最も代表的なものはフルカラ−記録）のときには、上述の、感光体上へのトナ−像の形成と転写ベルトへの転写が、各色分繰返えされて転写ベルト上において各色トナ−像が重ねて転写され、所要色分の重ね転写を終えてから、転写紙に転写される。
【００３３】
プリンタＰＴＲの内部、操作パネル６の直下にはプリンタコントローラおよびエンジンコントローラがあり、その下方にレーザ走査器があってその下方に感光体，顕像器他の作像機構がある。
【００３４】
プリンタコントローラは、メインプロセッサであるＣＰＵ，システムバス制御及び画像処理等を行うＡＳＩＣ(Application Specific IC)，ＣＰＵの制御プログラムが格納されているＲＯＭ，電源ＯＦＦ時にもデータの保持が可能なＮＶＲＡＭ，ホストＰＣからの受信データをＩＥＥＥ１２８４セントロＩ／Ｆを介して一時格納及び受信データに基づいて形成された画像イメージデータの格納が可能なＤＲＡＭ（画像メモリ），文字形状をあらわすイメージデータが格納され、画像形成時に文字データをイメージデータに変換するフォントＲＯＭ，操作パネル６をコントロール／通信する操作パネルＩ／Ｆ，スキャナＩ／Ｆ，エンジンコントローラとの通信及び画像データの送信を行うエンジンＩ／Ｆ，及び、ＩＥＥＥ１２８４準拠の通信が可能なＩＥＥＥ１２８４−Ｉ／Ｆ、を含む。
【００３５】
なお、前述のように原稿スキャナを装着すると、スキャナに内蔵する、読取り画像データを補正あるいは編集する画像データ処理装置が、プリンタコントローラ内のスキャナＩ／Ｆに接続される。
【００３６】
前カバー７は、その下端のヒンジで、前倒しの方向（矢印Ａ１）すなわち水平ｙ軸廻りに回動して開けることができる。前カバー７を開けると、上述の画像形成機構の側端部が露出する。第１トレイ３および第２トレイ４は、水平ｘ方向の矢印と逆の方向すなわち正面の前方向に引き出すことができる。
【００３７】
プリンタＰＴＲの左側面には、定着器の定着ローラの排出側周面に対向する位置に、水平ｙ方向に送出される定着排紙を垂直上向きに案内する定着排紙受台８があり、水平ｙ方向に排紙する使用態様では、受台８がその下端のヒンジの水平ｘ軸廻りで開けられ、開いた口にオプションの図示しない排紙トレイの一端が挿入されて開口内の係止具に結合される。ソータを使用するときには、やはり受台８を開き、そして現われた開口に図示しないソータの転写紙受け口を結合する。
【００３８】
受台８を図１の（ａ）に示すように閉じているときには、定着器から送出される転写紙は受台８で垂直上向きに案内されて、縦搬送器で上送りされて排紙受け面５に送り出される。該縦搬送器の一部をなす、紙押さえ用のアイドルベルトおよびローラを支持する排紙カバー９は、その下端のヒンジで、横倒しの方向（矢印Ａ２）すなわち水平ｘ軸廻りに回動して開けることができる。排紙カバー９を開けると、縦搬送器の紙送り駆動側の駆動ベルトおよびローラが露出する。
【００３９】
画像形成機構において紙詰まりなどのペーパトラブルを生じた時、あるいはトナー補給，消耗部品交換，点検，クリーニング等の時には、前カバー７が前倒し方向Ａ１に開けられる。定着後の縦搬送の紙詰まりなどのペーパトラブルの時には、排紙カバー９が横倒し方向Ａ２に開けられる。
【００４０】
プリンタＰＴＲの左側板の内側には電源装置ＰＳＵがあり、その回路基板１０上には主電源スイッチ１１がある。この主電源スイッチ１１の操作ボタン１１ａが、第１トレイ３の左隣にある電源操作器１２に、細径棒１３で連結されている。回路基板１０の前面側上端から、上方に、機械的な論理積機構ＭＡＮが延びている。
【００４１】
図２の（ａ）にプリンタＰＴＲの左側面を、図２の（ｂ）にプリンタＰＴＲの右側面を示す。図２の（ｂ）に示す右側面の１４は手差し台であり、その下端のヒンジのｘ軸廻りに手差し台１４を開いて横倒しにして、そこから手差し給紙できる。手差し台１４の下には、ペーパジャム点検用の開口を閉じるカバー１５があり、このカバーをその下端のヒンジのｘ軸廻りに横倒しに開くことにより、トレイ３，４から繰り出されて給紙機構で上送りされる転写紙がジャムしているか、点検できる。更に、カバー１５の下方には、オプションの大量給紙用の給紙バンクを装着するための開口を閉じるカバー１６がある。大量給紙用の給紙バンクを装着する時には、このカバー１６は取り外される。
【００４２】
図３に、電源装置ＰＳＵを示す。電源装置ＰＳＵは、スチールブラケット１７に、各種電源回路ＰＳＣを装備したプリント回路基板１０を、固定したものである。基板１０には、給電コネクタ１８〜２０および受電コネクタ２１を装着したコネクタフレーム２２が固定されている。受電コネクタ２１は、図示しない商用交流給電コネクタを受け入れて、商用交流電力を受電する。商用交流受電コネクタ２１は電気リードで基板１０上の交流入力回路に接続されている。給電コネクタ１８〜２０は、電気リードで基板１０上の、直流出力回路の給電導体に接続されている。給電コネクタ１８〜２０には、前述の作像機構，給紙機構，定着装置および排紙機構ならびにオプションの原稿スキャナおよび自動原稿供給装置の電気負荷に給電する、図示しない負荷側コネクタが接続される。
【００４３】
プリント回路基板１０に固定された主電源スイッチ１１は、通常の、使用者が指で押すことによりＯＦＦ位置からＯＮ位置にまたその逆にトグル動作（死点を境に、戻しばねのばね力の方向が反転する跳ね動作）をする操作ボタン１１ａに、細径棒１３の先端が係合する座台１１ｂを一体成形したものであり、座台１１ｂの垂直方向ｚに貫通する穴に、細径棒１３の先端が差し込まれている。細径棒１３は水平ｘ方向に延びる。細径棒１３をｘの矢印方向に駆動すると、主電源スイッチ１１は、図３に示すＯＦＦ状態から、ＯＮ状態に切換わる。
【００４４】
プリント回路基板１０には、常開型のインターロックスイッチ２３，２４および２５があり、それぞれ、電気モータ通電回路，画像形成露光用のレーザ通電回路および帯電，転写用高電圧回路への各給電路に介挿されている。これらのインターロックスイッチ２３，２４および２５は、ｘ方向に並んでおり、ブラケット１７の上端縁部でｘ方向にスライド可能に支持された操作棹２６がｘ矢印方向に駆動されると、操作棹２６の、下方への分岐２６ａ，２６ｂおよび２６ｃが各スイッチ２３，２４および２５の操作子２３ａ，２４ａおよび２５ａを押し、各インターロックスイッチ２３，２４および２５が、常態の開（断）から閉（接）に切換る。各インターロックスイッチ２３，２４および２５は戻しばねを内蔵し、操作棹２６に加わった押し力が無くなると、各インターロックスイッチ２３，２４および２５の操作子２３ａ，２４ａおよび２５ａに作用している戻しばね力により、操作子２３ａ，２４ａおよび２５ａが操作棹２６を押し戻し、各インターロックスイッチ２３，２４および２５が常態の開（断）に戻る。
【００４５】
操作棹２６の形状の概要は４角棒状であるが、操作力を受ける先端部は丸棒状もしくはピン状であり、圧縮コイルばね２７の一端に差し込まれている。圧縮コイルばね２７は、インターロックスイッチ２３，２４および２５の戻しばねによる操作子２３ａ，２４ａおよび２５ａの反発力の合計より少し強いばね力の、緩衝ばねである。
【００４６】
図４の（ａ）に、スチールブラケット１７の表面を、（ｂ）にその右側面を、（ｃ）に左側面を示す。図３も参照されたい。ブラケット１７は、プレス打ち抜きにより、多数の基板支持脚又はアーム，通し穴および支え舌片を形成したものであり、操作棹２６は、その背面（ｘ，ｚ面）がブラケット１７の平板状の表面１７ａで、上面（ｘ，ｙ面）が平板から直角に起立した折り曲げ縁１７ｂで、正面（前面；ｘ，ｚ面）が折り曲げ縁１７ｂから更に直角に折り曲げられた垂直舌片１７ｃで、また、下面（ｘ，ｙ面）が平板状の表面１７ａから直角に起こされた水平舌片１７ｄで、それぞれ支持又は案内されている。
【００４７】
図５に、プリント回路基板１０の正面を示す。プリント回路基板１０上には、図１の（ａ）に示すプリンタＰＴＲの各部のみならず、オプションとしてそれに付加することを想定した、原稿スキャナ他すべての機器に給電する数種の電圧および容量の数種の電源回路がある。大多数の電源回路は、主電源スイッチ１１のＯＦＦにより通電断となるが、一部の回路は、主電源スイッチ１１のＯＦＦの間もデータの不揮発保持のために、メモリ回路およびメモリ制御電子回路に微弱給電する。主電源スイッチ１１がＯＮである場合は、プリント動作モードの時にはすべての電源回路が給電出力し得るが、省エネ待機条件が成立した時には、自動的に、コマンド監視コントローラに給電する電源回路以外の、待機電力消費が比較的に大きい電源回路が、リレー回路の操作によって遮断される。電気モータ駆動回路、画像形成露光用のレーザ駆動回路および帯電，転写等の高電圧回路への給電路に介挿された常開型のインターロックスイッチ２３，２４および２５は、プリンタＰＴＲがプリント動作モードおよび省エネ待機モードのいずれにあっても、前カバー７又は排紙カバー９が開けられてこれにより操作棹２６のｘ矢印方向の押しが弱くなったときに、操作棹２６を押し戻してスイッチ開となって、電気モータ駆動回路、画像形成露光用のレーザ駆動回路および帯電，転写等の高電圧回路への給電路を、遮断する。
【００４８】
図６に、主電源スイッチ１１と電源操作器１２との、操作棹２６による連結を示す。電源操作器１２は、通常の、使用者が指で押すことによりＯＦＦ位置からＯＮ位置にまたその逆にトグル動作をする電源スイッチを、電気接点および接片を削除し、しかもその操作ボタン１２ａを、スイッチ外筐体の底壁を貫通する下脚１２ｂを一体に形成したもの、に変更したものである。下脚１２ｂの先端部のｙ方向に貫通した穴を、細径棒１３の、ｙ矢印方向とは逆の方向に直角に折り曲げられた先端部が貫通している。
【００４９】
図６に示す状態で主電源スイッチ１１はＯＦＦ（断）である。この状態で、使用者が、電源操作器１２の操作ボタン１２ａの、突出端すなわちＯＮ表示に近い上端を指で押さえると、操作器１２内部のトグル機構の戻しばねが圧縮され、操作ボタン１２ａがｙ軸廻りの反時計方向に回動し、この回動が死点を超えると、操作器１２内の戻しばねが、使用者の押さえによる回動方向に操作ボタン１２ａを回動強制する姿勢にかわり、操作ボタン１２ａが急速に、反時計方向に回動して、すなわちトグル動作をして、操作ボタン１２ａのＯＮ表示側の上端が沈み、ＯＦＦ表示側の下端が突出する。この過程で、操作ボタン１２ａの下脚１２ｂがｘ矢印方向に移動し、これにより細径棒１３が同時に同方向に移動し、主電源スイッチ１１の操作ボタン１１ａが、図６に示すＯＦＦ姿勢から、ＯＮ姿勢に切換って、主電源スイッチ１１がＯＦＦからＯＮ（接）に切換る。この切換りもトグル動作である。
【００５０】
主電源スイッチ１１をこのようにＯＮにしているときは、電源操作器１２の操作ボタン１２ａのＯＦＦ表示側の下端が突出している。使用者が、この下端を指で押しこむと、トグル動作によって、操作ボタン１２ａのＯＦＦ表示側の下端が沈み、ＯＮ表示側の上端が突出する。この過程で、操作ボタン１２ａの下脚１２ｂがｘ矢印方向とは逆の方向に移動し、これにより細径棒１３が同時に同方向に移動し、主電源スイッチ１１の操作ボタン１１ａが、ＯＮ姿勢から図６に示すＯＦＦ姿勢に切換って、主電源スイッチ１１がＯＮからＯＦＦに切換る。
【００５１】
図７に、操作棹２６を示す。図７の（ａ）は正面を、（ｂ）は上面を、（ｃ）は背面を示す。操作棹２６は合成樹脂で作られている。操作棹２６には、インターロックスイッチ２３，２４および２５を操作するための分岐２６ａ，２６ｂおよび２６ｃの他に、ブラケット１７による、ｘ方向にスライド可とした支持を確実かつ低摺動抵抗とするための張出し２６ｅ，２６ｆおよび２６ｇがある。
【００５２】
張出し２６ｅ，２６ｆおよび２６ｇの背面（ｘ，ｚ面）がブラケット１７の平板状の表面１７ａ（図３，図４）に接触して支えられるが、張出しがｘ方向で局所的に存在するのでこの支えによる、ｘ方向スライドに対する摺動抵抗は小さい。操作棹２６の上移動は、張出し２６ｅ，２６ｆおよび２６ｇの上面（ｘ，ｙ面）の、ｙ方向に延びる突条（各張出しにつき３本）の頂面がブラケット１７の折り曲げ縁１７ｂに当たることにより規制されるが、突条がｙ方向に延び、スライドはｘ方向であるので、突条によるｘ方向スライドに対する摺動抵抗も小さい。
【００５３】
操作棹２６の前移動（ｙ方向の移動）は、２個の舌片１７ｃで規制され、舌片１７ｃのｘ方向幅が狭いので、これらの舌片１７ｃによる、ｘ方向スライドに対する摺動抵抗も小さい。更に、操作棹２６は、３個の舌片１７ｃで下支持されるが、舌片１７ｄのｘ方向幅が狭いので、これらの舌片１７ｄによる、ｘ方向スライドに対する摺動抵抗も小さい。このように、操作棹２６の上下（ｚ）移動および前後（ｙ）移動を規制し、しかもｘ方向の摺動抵抗を小さくして、操作棹２６の支持を確実にし、しかもｘ移動負荷を軽くしている。
【００５４】
図８に機械的な論理積機構ＭＡＮの主要素の概要を示す。操作棹２６に結合した緩衝ばね２７には、リンクアーム３０に固着したピン２９が結合している。リンクアーム３０は、固定ブラケット３２（図９）に固定されたｙ方向に延びるピン３１を中心に回動可である。ピン３１の上方には、位置が固定のｚ方向に延びるピン３３、で支持されそれを中心に回動可の回動ブラケット３４があり、この回動ブラケット３４にピン３５が固定されている。このピン３５で略Ｚ形の回動羽根３６が、回動可に支持されている。
【００５５】
図９に、固定ピン３１を支持する固定ブラケット３２と、それに回動可に結合した連携レバー３８を示す。（ａ）は平面を、（ｂ）は正面を示す。連携レバー３８は、ｘ方向に延びるピン３７で、それを中心に回動可に、支持されている。連携レバー３８は、排紙カバー９の開から閉への移動によって押されてピン３７を中心に時計方向（図９の（ｂ））に回動する。
【００５６】
図１０には、回動ブラケット３４とそれに組付けられた回動羽根３６を示す。（ａ）は平面を、（ｂ）は正面を示す。ここで、再度、図８および図９も参照されたい。回動ブラケット３４（図８）が、排紙カバー９の開から閉への移動方向Ａ３に、受け面３４ａが直交する姿勢にあるときに、連携レバー３８の作用突起３８ａが、排紙カバー９の開から閉への移動のときに矢印Ａ３の方向に進んで回動ブラケット３４の受け面３４ａに当たり、これを同矢印Ａ３の方向に押す。
【００５７】
これによって回動ブラケット３４が、ピン３３を中心に図８上において時計方向に回動し、これにより、ピン３５およびそれによって支持された回動羽根３６が、退避位置から作動位置に移動し、回動羽根３６の作用受け面３６ａが、前カバー７の図示しないインターロック操作子の、前カバー７の開から閉への移動方向Ａ４（図８）に、直交する姿勢となる。この状態で前カバー７が開から閉になると、前カバー７の図示しないインターロック操作子が、矢印Ａ４方向に進んで、回動羽根３６の受け面３６ａを、同矢印Ａ４方向に押す。これにより回動羽根３６が、ピン３５を中心に図８上で時計方向に回動し、回動羽根３６の押し面３６ｂが、リンクアーム３０の上肢３０ａに当たってｘ矢印とは逆の方向に押し、リンクアーム３０を、ピン３１を中心に、図８上で時計方向に回動駆動する。これによって、リンクアーム３０の下肢３０ｂ（のピン２９）がｘ矢印方向に移動して、緩衝ばね２７を同矢印方向に駆動する。
【００５８】
ここで図３も参照すると、緩衝ばね２７のばね力が、インターロックスイッチ２３，２４および２５の内部にあって操作子２３ａ，２４ａおよび２５ａに開き方向の力を与えている戻しばねの反発力よりも強いので、緩衝ばね２７が操作棹２６を押してｘ矢印方向に移動し、これにより操作棹２６の分岐２６ａ，２６ｂおよび２６ｃによって操作子２３ａ，２４ａおよび２５ａがｘ矢印方向に押され、インターロックスイッチ２３，２４および２５が、常態のＯＦＦからＯＮに切換わる。
【００５９】
すなわち、排紙カバー９および前カバー７共に図１に示すように閉であるときに、インターロックスイッチ２３，２４および２５はＯＮである。この全カバー閉の状態の時に、例えば前カバー７が開くと、図８に示す回動羽根３６を矢印Ａ４に押して止めていた戻り止めが無くなるので、インターロックスイッチ２３，２４および２５の戻しばねの力で、操作子２３ａ，２４ａおよび２５ａが操作棹２６をｘ矢印方向と逆の方向に押し戻し、インターロックスイッチ２３，２４および２５が、ＯＮからＯＦＦに切換る。このとき、排紙カバー９は閉であるので、回動ブラケット３４は、その戻り回動が連携レバー３８を介して排紙カバー９で止められており、回動しない。
【００６０】
全カバー閉の状態の時に、前カバー７でなく排紙カバー９が開けられると、回動羽根３６の戻り回動は、閉状態の前カバー７による矢印７方向（図８）の止めによって阻止されているが、回動ブラケット３４に対する矢印Ａ３方向の回動の止めが無くなるので、回動ブラケット３４が回動羽根３６と共に、図８上でピン３３を中心に反時計方向に回動可となって、インターロックスイッチ２３，２４および２５の戻しばねの力で、操作子２３ａ，２４ａおよび２５ａが操作棹２６をｘ矢印方向と逆の方向に押し戻し、インターロックスイッチ２３，２４および２５が、ＯＮからＯＦＦに切換る。
【００６１】
以上のように常開型のインターロックスイッチ２３，２４および２５は、前カバー７および排紙カバー９が共に閉になつたときにＯＦＦからＯＮに切換る。少なくとも一方が開になると、ＯＮからＯＦＦに切換る。
【００６２】
−第２実施例−
図１１に、第２実施例の、第１実施例とは異なる主要部を示す。この第２実施例では、１個の常開型のインターロックスイッチ２５のみを用いて、前カバー７と排紙カバー９が共に閉の時にインターロックスイッチ２５をＯＮにし、前カバー７と排紙カバー９の少なくとも一方が開になるとインターロックスイッチ２５がＯＦＦになるようにしたものである。機械的な論理積要素としては、ｘ方向に長い長穴４１を持ち、それをｙ方向に貫通する固定ピン４２に対して回動し得てしかもｘ方向にスライドしうる基枠４０を用いた。この基枠４０の、操作子２５ａに対向する面には、それを押すための突子４３が固定されている。
【００６３】
基枠４０には２本のピン４４，４５が固定されている。これらのピン４４，４５と固定ピン４２は、２等辺三角形のコーナに位置し、固定ピン４２が頂点に位置する。２本のピンのそれぞれに、鞘付きワイヤ４６，４７の心線である、可撓性があって弾性が高い鋼ワイヤ４９，５１の先端が係止されている。これらの心線４９，５１は、可撓性があってすべりのよい合成樹脂であるテフロンのチューブすなわち鞘管４８，５０を貫通している。鞘付きワイヤ４６は、その心線４９の尾端に固着した当てボタン５２を、前カバー７の閉によって押される位置に配置するように配架され、ボタン５２側の鞘管端は、図示しない止め具によって、プリンタ機枠に固定されている。鞘管４８の他端は、止め台５４に固定され、止め台５４は、インターロックスイッチ２５を固定したプリント基板１０に固定されている。
【００６４】
鞘付きワイヤ４７は、その心線５１の尾端に固着した当てボタン５３を、排紙カバー９の閉によって押される位置に配置するように配架され、ボタン５３側の鞘管端は、図示しない止め具によって、プリンタ機枠に固定されている。鞘管５０の他端は、止め台５４に固定されている。
【００６５】
前カバー７および排紙カバー９が共に開いている時には、操作子２５ａで突子２５ａがｘ矢印方向とは逆の方向に押され、基枠４０がワイヤ４９，５１を該方向に押し、これにより当てボタン５２は、前カバー７が閉じるときカバー７のストライカが当たる位置に突出し、同様に、当てボタン５３も、排紙カバー９が閉じるときカバー９のストライカが当たる位置に突出している。この状態で例えば排紙カバー９だけが閉じると、当てボタン５３がカバー９のストライカによって押し下げられ、ワイヤ５１が鞘管４７内を、ピン４５をｘ方向に動かす方向にスライドし、基枠４０の下端がｘ方向に前進するが、突子４３の前進が操作子２５ａで止められているので、基枠４０はピン４５を中心に時計方向に回動する。すなわち基枠４０の上端はｘ矢印方向とは逆の方向に逃げる。
【００６６】
この、排紙カバー９が閉の状態で、更に前カバー７が閉になるときは、当てボタン５２が前カバー７のストライカによって押し下げられ、ワイヤ４９が鞘管４８内を、ピン４４をｘ方向に動かす方向にスライドし、基枠４０の上端がｘ方向に前進する。このとき基枠４０の下端がｘ方向とは逆の方向に移動できない（ワイヤ５１の移動が排紙カバー９で止められている）ので、基枠４０の下端が退避しないで、基枠４０がその下端を中心に反時計方向に回動する。これにより突子２５ａが操作子２５ａを押し下げ、インターロックスイッチ２５がＯＦＦからＯＮに切換る。
【００６７】
このようにスイッチ２５をＯＮにしているとき、つまり前カバー７および排紙カバー９ともに閉のときに、前カバー７が開くと基枠４０が時計方向に、排紙カバー９が開くと基枠４０が反時計方向に回動して、突子４３がｘ矢印方向と逆の方向に移動し、インターロックスイッチ２５がＯＦＦに切り替わる。
【００６８】
この第２実施例では、鞘付きワイヤ４６，４７をカーブさせて９０度方向を変える等、電気リードにやや近い配線をする事ができるので、電源装置あるいはインターロックスイッチの配置位置や姿勢の自由度が高い。
【００６９】
なお、第２実施例では主電源スイッチ１１と電源操作器１２との間も、同様な鞘付きワイヤで、図６の細径棒１３をワイヤに変えた形で、連結している。なお、鞘付きワイヤを用いる態様では、電源操作器１２は、主電源スイッチ１１と同じ高さでなくても良く、主電源スイッチ１１よりも高い位置や低い位置に配置できる。すなわち主電源スイッチ１１に対して、ｚ位置をずらすことができる。しかも、主電源スイッチ１１に対してｙ位置もずらすことができる。すなわち横方向ｙにずらすこともできる。
【図面の簡単な説明】
【図１】  （ａ）は、本発明の第１実施例の電源装置を装備した電子写真方式のフルカラープリンタＰＴＲの外観を示す斜視図、（ｂ）は正面図である。
【図２】  （ａ）は、図１の（ａ）に示すプリンタＰＴＲの左側面図、（ｂ）は右側面図である。
【図３】  図１に示す電源装置ＰＳＵの拡大斜視図である。
【図４】  （ａ）は図３に示すブラケット１７の正面図、（ｂ）は右側面図、（ｃ）は左側面図である。
【図５】  図３に示すプリント基板１０の表面を示す平面図である。
【図６】  図１の（ａ）に示す主電源スイッチ１１，電源操作器１２および細径棒１３の組合せを示す斜視図である。
【図７】  図３に示す操作棹２６を拡大して示し、（ａ）は正面図、（ｂ）は平面図、（ｃ）は背面図である。
【図８】  図１に示す論理積機構ＭＡＮの一部分を示す拡大斜視図である。
【図９】  （ａ）は、図１に示す論理積機構ＭＡＮの一部分を示す平面図、（ｂ）は正面図である。
【図１０】  （ａ）は、図１に示す論理積機構ＭＡＮの一部分を示す平面図、（ｂ）は正面図である。
【図１１】  本発明の第２実施例の主要部を示す斜視図である。
【符号の説明】
ＰＴＲ：プリンタ      ＰＳＵ：電源装置
１，２：閉じ蓋        ３，４：トレイ
５：排紙受け面        ６：操作パネル
７：前カバー          ８：受け台
９：排紙カバー        １０：回路基板
１１：主電源スイッチ  １１ａ：操作ボタン
１１ｂ：座台          １２：電源操作器
１２ａ：操作ボタン    １２ｂ：下脚
１３：細径棒          １４：手差し台
１５，１６：カバー    １７：ブラケット
１７ａ：平板状の表面  １７ｂ：折り曲げ縁
１７ｃ：垂直舌片      １７ｄ：水平舌片
１８〜２１：コネクタ  ２２：フレーム
２３〜２５：インターロックスイッチ
２３ａ〜２５ａ：操作子
２６：操作棹          ２６ａ〜２６ｃ：分岐
２７：緩衝ばね        ２９：ピン
３０：リンクアーム    ３０ａ：上肢
３０ｂ：下肢          ３１：ピン
３２：固定ブラケット  ３３：ピン
３４：回動ブラケット  ３４ａ：受け面
３５：ピン            ３６：回動羽根
３６ａ：受け面        ３６ｂ：押し面
３７：ピン            ３８：連携レバー
３８ａ：作用突起      ４０：基枠
４１：長穴            ４２：固定ピン
４３：突子            ４４，４５：ピン
４６，４７：鞘付きワイヤ
４８，５０：鞘管      ４９，５１：鋼ワイヤ
５２，５３：ボタン    ５４：止め台
【図１】
0004079588.tif 000002
【図２】
0004079588.tif 000003
【図３】
0004079588.tif 000004
【図４】
0004079588.tif 000005
【図５】
0004079588.tif 000006
【図６】
0004079588.tif 000007
【図７】
0004079588.tif 000008
【図８】
0004079588.tif 000009
【図９】
0004079588.tif 000010
【図１０】
0004079588.tif 000011
【図１１】
0004079588.tif 000012